(57)【要約】【課題】原稿面が浮き上がった場合の反射光量の変化を少なくし、また、切り貼り原稿のエッジ影の発生を抑制することができるものでありながら、導光体の簡略化、小型化が可能な原稿照明装置等を提供する。【解決手段】主走査方向に長い面光源７１と、面光源に接触又は近接して対面する入射面７２ａを有する導光体７２と、面光源の反対側方向に配置されて導光体からの光を読取領域に向けて反射させる反射部材７３とを備え、導光体は、出射面７１ａに、主走査方向に直交する断面形状が連続する三角形状となる凸状部を有し、凸上部は、面光源からの光を主に反射部材に向ける第１傾斜面と、光源からの光を主に前記読取領域に向ける第２傾斜面とによって形成されている。【選択図】図４
2014011478.tif 000002
【特許請求の範囲】
【請求項１】
原稿に対して副走査方向に相対移動して、原稿の主走査方向に延びる読取領域を照射する原稿照明装置において、
光を出射する出射面を有する面光源と、
前記面光源に対面する入射面を有する導光体と、
前記導光体の前記面光源と反対側方向に配置されて前記導光体からの光を前記読取領域に向けて反射させる反射部材と、を備え、
前記導光体は、前記入射面に、前記主走査方向に直交する断面形状が連続する三角形状となる凸状部を有し、
前記凸状部は、前記面光源からの光を前記反射部材に向ける第１傾斜面と、前記面光源からの光を前記読取領域に向ける第２傾斜面とによって形成されている、
ことを特徴とする原稿照明装置。
【請求項２】
前記主走査方向に直交する断面に現れる、前記第１傾斜面の長さをａとし、前記第２傾斜面の長さをｂとしたときに、
ａ≧ｂ
である、
ことを特徴とする請求項１に記載の原稿照明装置。
【請求項３】
前記導光体は、前記主走査方向に直交する断面形状が凸レンズ状となる出射面を有する、
ことを特徴とする請求項１又は２に記載の原稿照明装置。
【請求項４】
原稿の主走査方向に延びる読取領域を照射する原稿照明装置と、
前記原稿照明装置と前記原稿との一方を他方に対して副走査方向に移動させる移動装置と、
前記原稿照明装置から前記読取領域に照射されて前記原稿から反射された光を受光して画像情報を読み取る撮像素子と、を備え、
前記原稿照明装置は、請求項１ないし３のいずれか１項に記載の原稿照明装置である、
ことを特徴とする画像読取装置。
【請求項５】
画像を読み取る画像読取装置と、
前記画像読取装置で読み取った画像情報に基づいてシートに画像を形成する画像形成部と、を備え、
前記画像読取装置は、請求項４に記載の画像読取装置である、
ことを特徴とする画像形成装置。
【発明の詳細な説明】
【技術分野】
【０００１】
本発明は、原稿の浮き上がりや原稿面の段差に基づく明暗の差が発生しにくいようにした原稿照明装置、画像読取装置、及び画像形成装置に関する。
【背景技術】
【０００２】
図８に、従来の一般的な画像読取装置１００の主要部分についての断面図を示す。
【０００３】
ＬＥＤ１０１から出射された光Ｌは、導光体１０２を通り、原稿台ガラス１０３の上に載置された原稿Ｇの原稿面（画像面）Ｇ１を照明する。原稿面Ｇ１で反射された、画像情報を有した光Ｌは、さらに複数の反射ミラー１０４で反射された後、結像光学系１０５によって光電変換素子１０６に結像する。
【０００４】
キャリッジ１０７は副走査駆動装置１０８により、副走査方向（矢印Ｋ１方向に移動しながら原稿面Ｇ１の２次元画像を線順次読み取り方式で読み取っていく。
【０００５】
一般にＬＥＤ１０１から出射された光Ｌは中心が明るく、中心から遠ざかるに連れて暗くなっていく配光特性を持っている。また、１個のＬＥＤ１０１だけでは、原稿照明用として十分な光量が得にくいため、複数のＬＥＤ１０１が必要となる。
【０００６】
ここで、上述の画像読取装置１００のうちの、ＬＥＤ１０１と導光体１０２とによって構成される装置を原稿照明装置とする。
【０００７】
この原稿照明装置においては、原稿面Ｇ１が原稿台ガラス１０３から浮き上がった場合の反射光量の変化が小さくなるようにする必要がある。さらには、原稿面Ｇ１に切り貼り等があった場合、原稿面Ｇ１を読み取る際に切り貼りの縁（エッジ）の段差部分に影（エッジ影）が発生しにくいようにする必要がある。
【０００８】
このためＬＥＤを原稿照明用光源として用いた場合、ＬＥＤをアレイ状に複数配置して、ＬＥＤから発光した光を線状にするため、導光体の形状を工夫した様々な発明がなされている。
【０００９】
例えば、特許文献１の画像読取装置は、発光部と導光体と反射部材とを備えている。
【００１０】
発光部は、複数の第１発光部材と複数の第２発光部材とを有している。
【００１１】
導光体は、複数の（１）第１入光部と、１又は複数の（２）第１出光部と、複数の（３）第１導光部と、複数の（４）第２入光部と、１又は複数の（５）第２出光部と、複数の（６）第２導光部とを有している。
【００１２】
（１）の第１入光部は、主走査方向に複数配置され、第１発光部材側に配置されている。（２）の第１出光部は、原稿側に配置されている。（３）の第１導光部は、第１出光部からの光を副走査方向における一方側から原稿に照射するものである。（４）の第２入光部は、主走査方向に複数配置され、隣り合う複数の第１導光部の間に配置され、第２発光部材側に配置されている。（５）の第２出光部は、原稿側に配置されている。（６）の第２導光部は、第２出光部からの光を副走査方向における他方側から原稿に照射するものである。
【００１３】
反射部材は、第１出光部又は第２出光部に対応して配置され、出光部からの光を原稿側に反射させるものである。
【００１４】
上述の特許文献１の画像読取装置によると、読取光軸を挟んで２方向から原稿面に光を照射することができるため、原稿面が浮き上がった場合の反射光量の変化を少なくし、また、エッジ影の発生を抑制することができる。
【先行技術文献】
【特許文献】
【００１５】
【特許文献１】特開２０１０−１９９６３９号公報
【発明の概要】
【発明が解決しようとする課題】
【００１６】
しかしながら、特許文献１に係る発明によると、導光体が主走査方向に複数あり、導光体から出射し反射部材を介して原稿を照明する導光路側にも上述の導光体とは別形状の導光体が複数必要となっている。このため、導光体が複雑化したり大型化したりし、さらには、製造時に難易度が上がってしまう。
【００１７】
本発明は、原稿面が浮き上がった場合の反射光量の変化を少なくし、また、切り貼り原稿のエッジ影の発生を抑制することができるものでありながら、導光体の簡略化、小型化が可能な原稿照明装置、画像読取装置、及び画像形成装置を提供することにある。
【課題を解決するための手段】
【００１８】
本発明に係る原稿照明装置は、原稿に対して副走査方向に相対移動して、原稿の主走査方向に延びる読取領域を照射する原稿照明装置において、光を出射する出射面を有する面光源と、前記面光源に対面する入射面を有する導光体と、前記導光体の前記面光源と反対側方向に配置されて前記導光体からの光を前記読取領域に向けて反射させる反射部材と、を備え、前記導光体は、前記入射面に、前記主走査方向に直交する断面形状が連続する三角形状となる凸状部を有し、前記凸状部は、前記面光源からの光を前記反射部材に向ける第１傾斜面と、前記面光源からの光を前記読取領域に向ける第２傾斜面とによって形成されている、ことを特徴としている。
【００１９】
本発明に係る画像読取装置は、上述の原稿照明装置と、前記原稿照明装置と前記原稿との一方を他方に対して副走査方向に移動させる移動装置と、前記原稿照明装置から前記読取領域に照射されて前記原稿から反射された光を受光して画像情報を読み取る撮像素子と、を備えることを特徴としている。
【００２０】
本発明に係る画像形成装置は、上述の画像読取装置と、前記画像読取装置で読み取った画像情報に基づいてシートに画像を形成する画像形成部と、を備えることを特徴としている。
【発明の効果】
【００２１】
本発明の原稿照明装置によれば、面光源からの光を導光体の入射面の三角形状の凸状部の第１傾斜面によって主に反射部材に向け、また、第２傾斜面によって主に読取領域に向けることができる。反射部材に向けられた光は、反射部材で反射されて、読取領域に向けられる。つまり、導光体から出射される光は、読取光軸を挟んで、直接、読取領域に向けられる光と、反射部材を介して読取領域に向けられる光とに、大きく２分される。このため、原稿面が浮き上がった場合の反射光量の変化が少なく、また、切り貼り原稿のエッジ影の発生を抑制することができる。また、導光体は、その入射面に複数の凸状部が形成された簡単な構成の小型形状のものとすることができる。このため、原稿照明装置全体の構成を簡略化、小型化することができる。
【００２２】
本発明の画像読取装置によれば、原稿面が浮き上がった場合でも反射光量の変化の少ない反射光を読み取ることができる。また、切り貼り原稿のエッジ影の発生が抑制された反射光を読み取ることができるものである。さらに、画像読取装置全体の構成を簡略化、小型化することができる。
【００２３】
本発明に係る画像形成装置によれば、原稿面が浮き上がった場合でも明暗の変化が少ない画像を形成することができる。また、切り貼り原稿のエッジ影の発生を抑制した画像を形成することができるものでありながら、画像読取装置の簡略化に伴い、画像形成装置全体の構成を簡略化、小型化することができる。
【図面の簡単な説明】
【００２４】
【図１】画像形成装置１の内部構成を前側から見た模式図である。
【図２】図１中の読取装置本体５１の拡大図である。
【図３】図２中の原稿照明装置７０近傍の拡大図である。
【図４】図３から原稿照明装置７０を抜き出した拡大図である。
【図５】図４に示す面光源７１、導光体７２の拡大図である。
【図６】導光体７２の入射面７２ａの拡大図である。
【図７】原稿照明装置８０近傍の拡大図である。
【図８】一般的な画像読取装置１００の主要部分の断面図である。
【発明を実施するための形態】
【００２５】
以下、本発明の実施形態を図面に基づいて説明する。なお、数値は、参考数値であって、本発明を限定する数値ではない。
【００２６】
＜第１実施形態＞
図１を参照して、本発明に係る画像形成装置を適用した画像形成装置１について説明する。ここで、図１は、画像形成装置１の内部構成を操作パネル（不図示）のある前側（ユーザが画像形成装置１を使用する際に立つ側）から見た模式図である。なお、以下では、図１中の右上に矢印で示す上下左右の方向が、画像形成装置１の上下左右に対応するものとして説明する。
【００２７】
画像形成装置１は、箱型の画像形成装置本体（本体フレーム）１０を備えている。画像形成装置本体１０には、下側から上側に向かって略順に、シート給送部１１、画像形成部１２、定着部１３、シート排出部１４、画像読取部１５が設けられている。また、画像形成部１２、定着部１３の右側には、シート再給送部１６が設けられている。
【００２８】
シート給送部１１には、給紙カセット２１、ピックアップローラ２２、給送パス２３、給送ローラ対２４、レジストローラ対２５、手差しトレイ２６等が配設されている。給紙カセット２１内に積層状態で収納されたシートＰは、ピックアップローラ２２の回転によって給送パス２３に供給され、給送ローラ対２４によって、停止中のレジストローラ対２５のニップ部に当接されて、一旦停止する。なお、シートＰは、手差しトレイ２６からピックアップローラ２７、給送ローラ対２８によって供給することもできる。
【００２９】
画像形成部１２には、感光ドラム３１と、その周囲に感光ドラム３１の回転方向に沿って順に配設された帯電ローラ３２、露光装置としてのレーザユニット３３、現像ローラ３４、転写ローラ３５等が設けられている。
【００３０】
感光ドラム３１は、その表面が帯電ローラ３２によって均一に帯電され、レーザユニット３３からのレーザ光によって走査される。感光ドラム３１表面には、レーザ光照射部分の電荷が除去されて静電潜像が形成される。静電潜像は、現像ローラ３４によってトナーが付着され、トナー像として現像される。このトナー像は、感光ドラム３１の回転によって転写ニップ部Ｎ１に搬送される。これにタイミングを合わせて、レジストローラ対２５からシートＰが供給される。供給されたシートＰは、転写ニップ部Ｎ１にて挟持搬送されつつ、転写ローラ３５によって、表面にトナー像が転写される。なお、レーザユニット３３から照射されるレーザ光は、後述する画像読取部１５によって読み取られた原稿Ｇの原稿面（画像面）Ｇ１の画像情報に基づいてオンオフ制御されるようになっている。
【００３１】
定着部１３には、定着ローラ４１、加圧ローラ４２等が配設されている。定着ローラ４１は、所定の定着温度（例えば、１８０℃程度）に加熱されていて、加圧ローラ４２が当接されることで、両ローラ間に定着ニップ部Ｎ２が形成されている。画像形成部１２において表面にトナー像が転写されたシートＰは、定着ニップ部Ｎ２にて挟持搬送されつつ、定着ローラ４１によって加熱されることで、表面にトナー像が溶融固着されて定着される。
【００３２】
シート排出部１４には、排出パス４３、排出ローラ対４４、排出トレイ４５等が配設されている。トナー像が定着されたシートＰは、排出パス４３に沿って上方に搬送され、排出ローラ対４４によって排出トレイ４５上に排出される。
【００３３】
画像読取部１５には、画像読取装置５０、原稿台ガラス４６、原稿押圧板４７等が配設されている。原稿台ガラス４６の上面に、原稿面Ｇ１を下向きにして載置された原稿Ｇは、開閉自在な原稿押圧板４７によって押圧されて、原稿面Ｇ１が原稿台ガラス４６に密着される。
【００３４】
画像読取装置５０は、読取装置本体５１とこれを副走査方向（矢印Ｋ１方向：左右方向）に移動させる移動装置５２とを備えている。読取装置本体５１には、その一部として、後述する原稿照明装置７０が組み込まれている。移動装置５２は、モータ５３と、モータの出力軸に取り付けられた駆動プーリ５４と、従動プーリ５５、これらに架け渡されるとともに読取装置本体５１に連結されたワイヤ５６等を有している。なお、画像読取装置５０は、図１の位置に停止し、原稿押圧板４７の代わりに、装備された不図示の原稿自動供給から自動的に供給されてくる原稿を読み取ることもできるようになっている。このため、画像読取装置５０は、原稿と副走査方向に相対移動して原稿を読み取るようになっている。
【００３５】
移動装置５２は、モータ５３を正転又は逆転することにより、駆動プーリ５４を正転又は逆転させ、これにより、ワイヤ５６を介して読取装置本体５１を副走査方向（矢印Ｋ１方向）に移動させるようになっている。
【００３６】
画像読取装置５０は、読取装置本体５１によって原稿Ｇの原稿面Ｇ１を主走査方向（紙面に直交する方向）に光を照射しつつ、移動装置５２によって読取装置本体５１を副走査方向に移動させることで、原稿面Ｇ１全体を走査して、画像情報を読み取る。この画像情報は、上述のレーザユニット３３に送信されて、レーザ光のオンオフの制御等に供される。なお、画像読取装置５０については後にさらに説明する。
【００３７】
シート再給送部１６は、再給送パス４８と、再給送ローラ対４９を備えている。シートＰの裏面にもトナー像を形成する場合、表面にトナー像が定着されたシートＰは、後端が排出ローラ対４４を抜ける前に、排出ローラ対４４の回転を停止させ、さらに逆回転させることにより、再給送パス４８に導かれる。このシートＰは、再給送ローラ対４９によって、再給送パス４８に沿って下方に搬送され、上述の給送パス２３に再び進入して、停止中のレジストローラ対２５によって停止される。このシートＰは、その後、表面にトナー像が転写され、定着されたときと同様にして、裏面にトナー像が転写され、定着された後、排出トレイ４５上に排出される。
【００３８】
以上で、画像形成装置１についての説明を終了する。
【００３９】
つづいて、図２，図３，図４を参照して、画像読取装置５０の読取装置本体５１、原稿照明装置７０について説明する。ここで、図２は、図１中の読取装置本体５１の拡大図である。また、図３は、図２中の原稿照明装置７０近傍の拡大図である。図４は、図３から原稿照明装置７０を抜き出した拡大図である。
【００４０】
図２に示すように、読取装置本体５１は、原稿照明装置７０と、箱型のキャリッジ６１と、このキャリッジ６１に原稿照明装置７０を取り付けるための支持部材６２，６３とを備えている。さらに、読取装置本体５１は、キャリッジ６１内に配設された複数のミラー６４と、結像光学系６５と、ＣＣＤ等の光電変換素子６６とを備えている。光電変換素子６６は、原稿から反射された光を受光して画像情報を読み取る撮像素子である。
【００４１】
キャリッジ６１は、上面における右側が、低くなった取付面６１ａとなっている。この取付面６１ａに、支持部材６２，６３を介して、原稿照明装置７０が取り付けられている。なお、原稿照明装置７０については、後に説明する。
【００４２】
図３に示すように、右側の支持部材６２は、平板状の取付ベース６２ａと、屈曲形状の支持板６２ｂとによって形成されていて、取付面６１ａに固定されている。支持板６２ｂの支持面６２ｃは、読取領域Ｒと、後述する反射部材７３との間に向けられている。
【００４３】
また、左側の支持部材６３は、平板状の取付ベース６３ａと、屈曲形状の支持板６３ｂとによって形成されていて、取付面６１ａに固定されている。支持板６３ｂの支持面６３ｃは、読取領域Ｒと、後述する導光体７２との間に向けられている。
【００４４】
キャリッジ６１の取付面６１ａにおける読取光軸Ｌａに対応する位置には、スリットＳが形成されており、支持部材６２，６３の取付ベース６２ａ，６３ａは、このスリットＳに対応して、離間して配置されている。
【００４５】
図２に示すように、キャリッジ６１の内側には、複数のミラー６４が配設されており、スリットＳを通過した光の反射回数を増加させて、光電変換素子６６に至るまでの光の光路長が長くなるようにしている。
【００４６】
結像光学系６５は、最終のミラー６４で反射された光を、光電変換素子６６に結像させるものである。
【００４７】
キャリッジ６１全体は、ガイド部材（不図示）によって副走査方向（矢印Ｋ１方向）に移動可能にガイドされている。キャリッジ６１は、図１に示す移動装置５２によって、副走査方向（矢印Ｋ１方向）に往復移動される。
【００４８】
次に、図３，図４を参照して、原稿照明装置７０について説明する。
【００４９】
原稿照明装置７０は、面光源７１と、導光体７２と、反射部材７３とを備えて構成されている。
【００５０】
面光源７１は、幅Ｗ１（図５参照）に対して、主走査方向（紙面に直交する方向）の長さが長く設定されていて、基板７４を介して、支持部材６２の支持面６２ｃに取り付けられている。面光源７１としては、有機ＥＬ、又は青色系ＬＥＤと黄色蛍光体とを用いた白色ＬＥＤを主走査方向に複数配列し、有機ＥＬ又は白色ＬＥＤから出射された光を、出射面７１ａで拡散して略均一な面状の光として、導光体７２に向けて出射する。
【００５１】
図５は、図４に示す面光源７１、導光体７２の拡大図である。
【００５２】
導光体７２は、厚さＤに対して、幅Ｗ２が広く、さらに幅Ｗ２に対して、主走査方向の長さが長い、板状に形成されている。導光体７２は、主走査方向に長い、入射面７２ａ、出射面７２ｂ、側面７２ｃ，７２ｄを有し、さらに、主走査方向の両端に端面７２ｅ，７２ｆを有している。導光体７２は、入射面７２ａに、主走査方向に直交する断面形状が連続する三角形状となる多数の三角柱状体（凸状部）Ｔを有している。
【００５３】
図６は、導光体７２の入射面７２ａの拡大図である。
【００５４】
三角柱状体Ｔは、第１傾斜面Ａと第２傾斜面Ｂとによって形成されており、これらが交差して凸状の頂部Ｔ１が形成され、また、凹状の谷部Ｔ２が形成されている。ここで、各谷部Ｔ２を通る仮想平面を、基準面Ｈとすると、この基準面Ｈに対して、第１傾斜面Ａのなす角が第１傾斜角θ１となり、第２傾斜面Ｂのなす角が第２傾斜角θ２となる。さらに、基準面Ｈから頂部Ｔ１までの距離が深さＤ１となり、また、隣接する三角柱状体Ｔ，Ｔの頂部Ｔ１，Ｔ１間の距離（谷部Ｔ２，Ｔ２間の距離に等しい。）がピッチＰ１となる。
【００５５】
導光体７２は、その入射面７２ａが、面光源７１の出射面７１ａに対して接触又は近接して対面するように配置されている。すなわち、導光体７２は、入射面７２ａの三角柱状体Ｔの頂部Ｔ１が、面光源７１の出射面７１ａに対して、接触又は近接するように配置されている。
【００５６】
ここで、上述の面光源７１の幅Ｗ１と、導光体７２の入射面７２ａの三角柱状体ＴのピッチＰ１とは、
Ｐ１＜Ｗ１……（１）
の関係が成り立つように設定されている。
【００５７】
これにより、面光源７１の出射面７１ａと、導光体７２の入射面７２ａとの間隙を少なくして、入射面７２ａに取り込める光の光量を多くし、光量ロスを低減することができる。
【００５８】
すなわち、面光源７１の出射面７１ａから出射される光の光量は、出射面７１ａに対して鉛直方向に多く、鉛直方向からの角度が大きくなるに連れて光量が徐々に低下していく。このため面光源７１の幅Ｗ１よりも三角柱状体ＴのピッチＰ１の方が大きい場合には、面光源７１の幅方向の端部で出射された光のうち、面光源７１の鉛直方向から角度が大きく離れて、頂部Ｔ１から外れた光は、入射面７２ａに入射できなくなってしまう。
【００５９】
面光源７１の出射面７１ａと、導光体７２の入射面７２ａとの間隔は、三角柱状体Ｔの製造誤差によるばらつきもあるため、０．３ｍｍ程度になる場合がある。例えば、面光源７１の幅Ｗ１を1ｍｍとし、三角柱状体Ｔの第１傾斜面Ａ、第２傾斜面Ｂの第１傾斜角θ１、第２傾斜角θ２をそれぞれ４５度とした場合、ピッチＰ１は、０．６ｍｍになり、上述の式（１）を満たす。
【００６０】
さらに好ましくは、
Ｐ１≦０．１・Ｗ１
を満たすようにするとよい。
【００６１】
図３に示すように、導光体７２は、面光源７１、基板７４を介して、上述の支持部材６２の支持面６２ｃに取り付けられた際に、出射面７２ｂが読取領域Ｒと、反射部材７３との間を向くようになっている。
【００６２】
反射部材７３は、幅Ｗ３に対して、主走査方向の長さが長い平板状に形成されている。反射部材７３は、上述の支持部材６３の支持面６３ｃに固定されていて、反射面７３ａが読取領域Ｒと導光体７２との間を向くようになっている。また、反射部材７３は、導光体７２に対して、読取光軸Ｌａを挟んで反対側に配設されている。すなわち、反射部材７３は、導光体７２の面光源７１の反対側方向に配置されている。このため、反射部材７３は、導光体７２からの光を反射面７３ａにより、読取領域Ｒに向けて反射する。
【００６３】
ここで、図５を参照して、上述構成の原稿照明装置７０において、導光体７２の出射面７２ｂから出射される光が、おおよそ２方向に分割される点について、説明する。
【００６４】
導光体７２の入射面７２ａに略密接して配置された面光源７１の出射面７１ａから出射された光が入射面７２ａに形成された三角柱状体Ｔに入射する。三角柱状体Ｔを微細に形成して、導光体７２の入射面７２ａを、面光源７１の出射面７１ａに近づけて配置することで、出射面７１ａから発光した光のほとんどを入射面７２ａから導光体７２に取り込むことができる。
【００６５】
そして、導光体７２の入射面７２ａで取り込まれた光は、三角柱状体Ｔの第１傾斜面Ａの第１傾斜角θ１、第２傾斜面Ｂの第２傾斜角θ２、導光体７２の屈折率等に基づいて、所定の角度で２方向に偏向して出射面７２ｂに向かう。導光体７２に入射した光の一部は、側面７２ｃ，７２ｄで全反射されて、出射面７２ｂに向かい、出射面７２ｂで導光体７２の屈折率に基づいて、所定の角度で偏向し、ほぼ２方向に分かれて出射する。この際、三角柱状体Ｔの第１傾斜面Ａは、入射された光を主に反射部材７３に向けて偏向し、第２傾斜面Ｂは、入射された光を主に読取領域Ｒに向けて偏向する。
【００６６】
以下、具体的な数値をあげて、原稿照明装置７０についてさらに説明する。
【００６７】
図６に示す導光体７２の入射面７２ａの三角柱状体Ｔについて、第１傾斜面Ａの第１傾斜角θ１＝第２傾斜面Ｂの第２傾斜角θ２＝４５度、深さＤ１＝０．０５ｍｍとする。これにより、ピッチＰ１＝０．１ｍｍとなる。三角柱状体Ｔは、頂部Ｔ１の頂角が９０度で、第１傾斜面Ａの長さａ＝第２傾斜面Ｂの長さのｂの直角二等辺三角形となる。
【００６８】
この原稿照明装置７０において、面光源７１の出射面７１ａから出射された光は、導光体７２の入射面７２ａの三角柱状体Ｔの第１傾斜面Ａによって主に反射部材７３に向けて偏向されて出射面７２ｂから出射される。一方、面光源７１の出射面７１ａから出射された光は、導光体７２の入射面７２ａの三角柱状体Ｔの第２傾斜面Ｂによって主に読取領域Ｒに向けて偏向されて出射面７２ｂから出射される。
【００６９】
この際、第１傾斜面Ａの長さａと第２傾斜面Ｂの長さｂとが等しい（ａ＝ｂ）ので、出射面７２ｂから読取領域Ｒに向かう光の光量と、出射面７２ｂから反射部材７３に向かう光の光量とが略同じになる。反射部材７３で反射された光は、読取領域Ｒに向かう。
【００７０】
上述の原稿照明装置７０によると、導光体７２と反射部材７３とが、読取光軸Ｌａを挟んで反対側（右側と左側）に配置され、導光体７２で２分された一方の光が、直接、読取領域Ｒを照射し、他方の光が反射部材７３で反射された後、読取領域Ｒを照射する。
【００７１】
このため、原稿面Ｇ１が原稿台ガラス４６から浮き上がった場合の反射光量の変化が少なく、また、切り貼り原稿のエッジ影の発生を抑制することができる。また、導光体７２は、その入射面７２ａに複数の三角柱状体Ｔが形成された簡単な構成の小型のものとすることができる。このため、原稿照明装置７０全体の構成を簡略化、小型化することができる。
【００７２】
この原稿照明装置７０が組み込まれた画像読取装置５０は、原稿面Ｇ１が浮き上がった場合でも反射光量の変化の少ない反射光を読み取ることができ、また、切り貼り原稿のエッジ影の発生が抑制された反射光を読み取ることができる。さらに、画像読取装置５０全体の構成を簡略化、小型化することができる。
【００７３】
また、この画像読取装置５０を備えた画像形成装置１は、原稿面Ｇ１が浮き上がった場合でも明暗の変化が少ない画像を形成し、また、切り貼り原稿のエッジ影の発生を抑制した画像を形成することができる。さらに、画像読取装置５０の簡略化に伴い、画像形成装置１全体の構成を簡略化、小型化することができる。
【００７４】
つづいて、原稿照明装置７０の変形例について説明する。
【００７５】
上述の原稿照明装置７０においては、第１傾斜面Ａの長さａと第２傾斜面Ｂの長さｂとが等しいため、出射面７２ｂから反射部材７３に向かう光の光量と、出射面７２ｂから読取領域Ｒに向かう光の光量が略同じである。
【００７６】
ここで、導光体７２の出射面７２ｂから出射されて反射部材７３で反射された後読取領域Ｒに至る光の光路長をＬＡとする。また、導光体７２の出射面７２ｂから出射されて直接、後読取領域Ｒに至る光の光路長をＬＢとする。
【００７７】
光路長ＬＡ，ＬＢについては、
ＬＡ＞ＬＢ
となる。
【００７８】
このため、導光体７２の出射面７２ｂから略２分されて出射される光の光量が同じ場合には、最終的に読取領域Ｒの至る光の光量を比較すると、長い光路長ＬＡを通った光の光量は、短い光路長ＬＢを通った光の光量よりも少なくなってしまう。つまり、読取領域Ｒを照射する光のうち、反射部材７３を介して左側から照射する光の光量は、導光体７２から直接、読取領域Ｒを照射する光の光量よりも少なくなる。
【００７９】
このように左側からと右側からの光の光量差が発生すると、原稿面Ｇ１が浮き上がった場合の反射光の明暗差や、切り貼り原稿のエッジ影を良好になくすことができない。
【００８０】
そこで、以下のようにして、読取領域Ｒに到達する光の光量が同じになるようにした。
【００８１】
本変形おいては、図６に示す導光体７２において、第１傾斜面Ａの長さａを第２傾斜面Ｂの長さｂよりも長く設定することで、反射部材７３に向かう光の光量を、読取領域Ｒに向かう光の光量よりも多くなるようにした。
【００８２】
具体的には、例えば、第１傾斜面Ａの第１傾斜角θ１＝４５度、第２傾斜面Ｂの第２傾斜角θ２＝５２度とした。さらに、深さＤ１＝０．０２５ｍｍ、ピッチＰ１＝０．０４５ｍｍとした。これにより、第１傾斜面Ａで偏向されて反射部材７３へ向かう光の光量を、第２傾斜面Ｂで偏向されて直接、読取領域Ｒへ向かう光の光量よりも多くすることができる。これにより、読取領域Ｒにおける左側からの光の光量と、右側からの光の光量とが略同じにすることができる。
【００８３】
＜第２実施形態＞
図７を参照して、本発明を適用した第２実施形態に係る原稿照明装置８０について説明する。図７は、図３に相当する図である。
【００８４】
図７に示すように、キャリッジ６１は、スリットＳ近傍が凹状に凹んでいて、傾斜面からなる支持面６１ｂ，６１ｃを構成している。右側の支持面６１ｂには、基板７５、面光源７６を介して、導光体７７が取り付けられている。導光体７７は、入射面７７ａについては、上述の第１実施形態の導光体７２の入射面７２ａと同様に多数の三角柱状体Ｔを有している。出射面７７ｂは、凸形状の凸レンズ状によって形成されており、凸レンズの集光機能を使っている。一方、キャリッジ６１の左側の支持面６１ｃには、反射面７８ａが凹面鏡の反射部材７８が取り付けられており、集光機能を有している。
【００８５】
面光源７６を出射した光は、導光体７７の入射面７７ａに入射する。入射した光は入射面７７ａで偏向され、凸レンズ状の出射面７７ｂから出射し、左斜め上方に向かって読取領域Ｒを右側から照射する光と、左方に向かって反射部材７８で反射されて向きを左斜め上方に変えて読取領域Ｒを左方から照射する光となる。
【００８６】
本実施形態の原稿照明装置８０は、上述の第１実施形態の原稿照明装置７０の効果に加え、導光体７７と反射部材７８とがいずれも集光機能を有しているので、面光源７６から出射された光をさらに有効に読取領域Ｒに照射することができる。
【００８７】
以上、本発明の好ましい実施形態について説明したが、本発明はこれらの実施形態に限定されず、その要旨の範囲内で種々の変形及び変更が可能である。例えば、導光体７２，７７と反射部材７３，７８とが読取光軸Ｌａとを挟んで反対側に配置されている点。また、導光体７２，７７の入射面７２ａ，７７ａに、上述のような三角柱状体（凸状部）Ｔが多数形成されている点。これら２点を満足することを条件に、他の構成は、適宜に変形、変更することが可能である。
【００８８】
以上説明した画像読取装置における移動装置は、原稿台ガラス４６に載置し固定した原稿Ｇに対して原稿照明装置７０を備えた読取装置本体５１を図１において、矢印Ｋ１方向に移動させて原稿を読み取るようになっている。しかし、原稿台ガラス４６に原稿を自動的に順次送り込む原稿供給装置を原稿台ガラス４６上に装備し、その原稿供給装置によって順次送り込まれる原稿を、順次原稿が送り込まれる位置に読取装置本体５１を停止させて、読み取るようにしてもよい。この場合における、画像読取装置の移動装置は、不図示の原稿供給装置になる。したがって、画像読取装置の原稿給送装置は、原稿照明装置と原稿とのいずれか一方を他方に対し副走査方向に移動させるようになっている。
【符号の説明】
【００８９】
１…画像形成装置、１２…画像形成部、５０…画像読取装置、５２…移動装置、６６…光電変換素子（撮像素子）、７０，８０…原稿照明装置、７１，７６…面光源、７２，７７…導光体、７２ａ，７７ａ…入射面、７２ｂ，７７ｂ…出射面、７３，７８…反射部材、
Ａ…第１傾斜面、ａ…第１傾斜面の長さ、Ｂ…第２傾斜面、ｂ…第２傾斜面の長さ、Ｇ…原稿、Ｇ１…原稿面（画像面）、Ｋ１…副走査方向、Ｌａ…読取光軸、Ｐ…シート（記録媒体）、Ｒ…読取領域、Ｔ…角柱状体（凸状部）。
【図１】
2014011478.tif 000003
【図２】
2014011478.tif 000004
【図３】
2014011478.tif 000005
【図４】
2014011478.tif 000006
【図５】
2014011478.tif 000007
【図６】
2014011478.tif 000008
【図７】
2014011478.tif 000009
【図８】
2014011478.tif 000010